(57)【要約】【課題】操作部材に施される装飾が正常な位置となるような組み立てを簡単に行うことができ、しかも誤って組み立てられる不具合を生じにくくする操作部材を備える遊技機を提供する。【解決手段】操作部材５は、装飾が施された第１装飾部材６０、第２装飾部材７０、双方を組み合わせた操作部装飾部材５１を取り付ける取付部材５０を備え、第１及び第２装飾部材は装飾Ｋを正常な位置とする位置決め手段６３，７３を備え、第１装飾部材は、第２装飾部材を組み合わせた際にその一部を視認可能とする装飾視認部６５を備え、操作部装飾部材及び取付部材のいずれか一方に取付部と他方に被取付部を備え、操作部装飾部材と取付部材が予め定められた取付位置となったときに固定状態となり、操作部装飾部材及び取付部材の一方もしくは両方は当該操作部装飾部材及び取付部材を取付位置と異なる所定の仮決め位置から取付位置に誘導する誘導部を備える。【選択図】図３
2011062426.tif 000002
【特許請求の範囲】
【請求項１】
遊技に関する操作を行うための操作部材を備えた遊技機において、
前記操作部材は、前面側に装飾が施された第１装飾部材と、前記第１装飾部材に組み合わされる第２装飾部材と、前記第１装飾部材と前記第２装飾部材とを組み合わせて構成される操作部装飾部材を前面側に取り付けてなる取付部材を備えており、
前記第１装飾部材及び前記第２装飾部材は該第１及び第２装飾部材に施された装飾が正常な位置となるように組み合わせるための位置決め手段を備え、
前記第１装飾部材は、該第１装飾部材と前記第２装飾部材を組み合わせた際に前記第１装飾部材を介してあるいは前記第１装飾部材から露出して前記第２装飾部材の少なくとも一部を視認可能とする装飾視認部を備え、
前記操作部装飾部材及び前記取付部材のいずれか一方に取付部と他方に被取付部を備え、前記操作部装飾部材と前記取付部材が予め定められた取付位置となったときに前記取付部と前記被取付部とが固定状態となり、
前記操作部装飾部材及び前記取付部材の一方もしくは両方は当該操作部装飾部材及び取付部材を前記取付位置と異なる所定の仮決め位置から前記取付位置に誘導する誘導部を備え、
前記操作部装飾部材と前記取付部材を組み合わせて前記誘導部により前記仮決め位置から前記取付位置に誘導して前記操作部装飾部材に施された装飾が正常な位置となることを特徴とする遊技機。
【請求項２】
前記操作部材は、当該遊技機に固定され前記取付部材を前面側に取り付ける操作部材本体と、
前記操作部装飾部材、前記取付部材、または前記操作部材本体のいずれか一以上に取り付けられ、所定範囲移動可能となる移動部材を備え、
前記操作部材の前記移動部材が所定範囲移動可能となる間は、当該遊技機の操作が可能となることを特徴とする請求項１に記載の遊技機。
【請求項３】
前記第１装飾部材及び前記第２装飾部材は組み合わせることで整合する整合部を複数有し、
前記取付部材は前記操作部装飾部材を取り付けた際に前記操作部装飾部材の周縁部の少なくとも一部を覆う覆い部を有し、
前記整合部は、前記覆い部により覆われる被覆い部と前記装飾視認部により構成されており、
前記複数の装飾視認部は互いに同形状からなり、前記複数の被覆い部の一は前記位置決め手段を備え、前記位置決め手段を備える被覆い部は残余の被覆い部と異なる形状に形成されていることを特徴とする請求項１または２に記載の遊技機。
【請求項４】
前記誘導部は、前記操作部装飾部材と前記取付部材が前記仮決め位置及び前記取付位置以外の位置で仮位置決め状態となることを阻止する阻止部を備えたことを特徴とする請求項１ないし３のいずれか１項に記載の遊技機。
【請求項５】
前記第２装飾部材は前記阻止部の一部にリブ部を備え、前記リブ部は前記取付位置に誘導するための切り欠き部を備えていることを特徴とする請求項４に記載の遊技機。
【発明の詳細な説明】
【技術分野】
【０００１】
本発明は、遊技機に関し、特に遊技機の操作部材に施される装飾の組み立てを容易とした遊技機に関する。
【背景技術】
【０００２】
遊技機には遊技者の操作を受ける操作部材が備えられている。パチンコ遊技機等の遊技機においては、例えば、遊技球を同遊技機の遊技領域に向けて弾発発射する打球発射装置の弾発強度を回転操作により調節する操作部材がある。また、スロットマシン等の遊技機では、キャラクタ等が表示されている回転ドラムを回動させるための操作部材がある。
【０００３】
このような操作部材には、遊技機の機種毎の差を訴求するべく適宜の装飾が施されるようになってきた。例えば、遊技機の操作部材のひとつである操作ハンドルの前面側に透明なカバー部材を備え、カバー部材の内部に適宜の装飾を施した内部部材を配した遊技機が提案されている（特許文献１参照）。この遊技機では、カバー部材を介して内部部材が視認可能である。これに加えて、操作部材の前面側、側面側等に製造者の名称、遊技機の機種名、宣伝文句、キャラクタの名称等の文字、記号、数字、図形等を表示して訴求性を強調しようとする要望も多い。そこで、装飾に関する部材数が増加しつつある。
【０００４】
しかしながら、特許文献１等の構造を採用した操作部材では、複雑な文字の配列を装飾として備える場合、操作部材を誤って組み立ててしまうと装飾が本来の正常な位置に配置されなくなることが多い。例えば、文字の向きが逆や斜めになる場合がある。また、正確に組み立てようとするあまり作業性が低下するおそれがある。すなわち、遊技機の操作部材における装飾の実現と、これに呼応する部材数の増加への対応は不十分であった。
【０００５】
そこで、操作部材に施される装飾が正常な位置となるような組み立てを簡単に行うことができ、しかも誤って組み立てて不具合を生じにくくする操作部材を備える遊技機が求められるに至った。
【先行技術文献】
【特許文献】
【０００６】
【特許文献１】特開２００５−５８３６１号公報
【発明の概要】
【発明が解決しようとする課題】
【０００７】
本発明は、上記状況に鑑み提案されたものであり、操作部材に施される装飾が正常な位置となるような組み立てを簡単に行うことができ、しかも誤って組み立てられる不具合を生じにくくする操作部材を備える遊技機を提供する。
【課題を解決するための手段】
【０００８】
すなわち、請求項１の発明は、遊技に関する操作を行うための操作部材を備えた遊技機において、前記操作部材は、前面側に装飾が施された第１装飾部材と、前記第１装飾部材に組み合わされる第２装飾部材と、前記第１装飾部材と前記第２装飾部材とを組み合わせて構成される操作部装飾部材を前面側に取り付けてなる取付部材を備えており、前記第１装飾部材及び前記第２装飾部材は該第１及び第２装飾部材に施された装飾が正常な位置となるように組み合わせるための位置決め手段を備え、前記第１装飾部材は、該第１装飾部材と前記第２装飾部材を組み合わせた際に前記第１装飾部材を介してあるいは前記第１装飾部材から露出して前記第２装飾部材の少なくとも一部を視認可能とする装飾視認部を備え、前記操作部装飾部材及び前記取付部材のいずれか一方に取付部と他方に被取付部を備え、前記操作部装飾部材と前記取付部材が予め定められた取付位置となったときに前記取付部と前記被取付部とが固定状態となり、前記操作部装飾部材及び前記取付部材の一方もしくは両方は当該操作部装飾部材及び取付部材を前記取付位置と異なる所定の仮決め位置から前記取付位置に誘導する誘導部を備え、前記操作部装飾部材と前記取付部材を組み合わせて前記誘導部により前記仮決め位置から前記取付位置に誘導して前記操作部装飾部材に施された装飾が正常な位置となることを特徴とする遊技機に係る。
【０００９】
請求項２の発明は、前記操作部材は、当該遊技機に固定され前記取付部材を前面側に取り付ける操作部材本体と、前記操作部装飾部材、前記取付部材、または前記操作部材本体のいずれか一以上に取り付けられ、所定範囲移動可能となる移動部材を備え、前記操作部材の前記移動部材が所定範囲移動可能となる間は、当該遊技機の操作が可能となることを特徴とする請求項１に記載の遊技機に係る。
【００１０】
請求項３の発明は、前記第１装飾部材及び前記第２装飾部材は組み合わせることで整合する整合部を複数有し、前記取付部材は前記操作部装飾部材を取り付けた際に前記操作部装飾部材の周縁部の少なくとも一部を覆う覆い部を有し、前記整合部は、前記覆い部により覆われる被覆い部と前記装飾視認部により構成されており、前記複数の装飾視認部は互いに同形状からなり、前記複数の被覆い部の一は前記位置決め手段を備え、前記位置決め手段を備える被覆い部は残余の被覆い部と異なる形状に形成されていることを特徴とする請求項１または２に記載の遊技機に係る。
【００１１】
請求項４の発明は、前記誘導部は、前記操作部装飾部材と前記取付部材が前記仮決め位置及び前記取付位置以外の位置で仮位置決め状態となることを阻止する阻止部を備えたことを特徴とする請求項１ないし３のいずれか１項に記載の遊技機に係る。
【００１２】
請求項５の発明は、前記第２装飾部材は前記阻止部の一部にリブ部を備え、前記リブ部は前記取付位置に誘導するための切り欠き部を備えていることを特徴とする請求項４に記載の遊技機に係る。
【発明の効果】
【００１３】
請求項１の発明に係る遊技機によると、遊技に関する操作を行うための操作部材を備えた遊技機において、前記操作部材は、前面側に装飾が施された第１装飾部材と、前記第１装飾部材に組み合わされる第２装飾部材と、前記第１装飾部材と前記第２装飾部材とを組み合わせて構成される操作部装飾部材を前面側に取り付けてなる取付部材を備えており、前記第１装飾部材及び前記第２装飾部材は該第１及び第２装飾部材に施された装飾が正常な位置となるように組み合わせるための位置決め手段を備え、前記第１装飾部材は、該第１装飾部材と前記第２装飾部材を組み合わせた際に前記第１装飾部材を介してあるいは前記第１装飾部材から露出して前記第２装飾部材の少なくとも一部を視認可能とする装飾視認部を備え、前記操作部装飾部材及び前記取付部材のいずれか一方に取付部と他方に被取付部を備え、前記操作部装飾部材と前記取付部材が予め定められた取付位置となったときに前記取付部と前記被取付部とが固定状態となり、前記操作部装飾部材及び前記取付部材の一方もしくは両方は当該操作部装飾部材及び取付部材を前記取付位置と異なる所定の仮決め位置から前記取付位置に誘導する誘導部を備え、前記操作部装飾部材と前記取付部材を組み合わせて前記誘導部により前記仮決め位置から前記取付位置に誘導して前記操作部装飾部材に施された装飾が正常な位置となるため、操作部材に施される装飾が正常な位置となるような組み立てを簡単に行うことができる。しかも誤って組み立てられる不具合を生じにくくすることができる。
【００１４】
請求項２の発明に係る遊技機によると、請求項１の発明において、前記操作部材は、当該遊技機に固定され前記取付部材を前面側に取り付ける操作部材本体と、前記操作部装飾部材、前記取付部材、または前記操作部材本体のいずれか一以上に取り付けられ、所定範囲移動可能となる移動部材を備え、前記操作部材の前記移動部材が所定範囲移動可能となる間は、当該遊技機の操作が可能となるため、操作部材における移動部材の移動範囲に応じて遊技機が操作可能な状態を変化させることができる。
【００１５】
請求項３の発明に係る遊技機によると、請求項１または２の発明において、前記第１装飾部材及び前記第２装飾部材は組み合わせることで整合する整合部を複数有し、前記取付部材は前記操作部装飾部材を取り付けた際に前記操作部装飾部材の周縁部の少なくとも一部を覆う覆い部を有し、前記整合部は、前記覆い部により覆われる被覆い部と前記装飾視認部により構成されており、前記複数の装飾視認部は互いに同形状からなり、前記複数の被覆い部の一は前記位置決め手段を備え、前記位置決め手段を備える被覆い部は残余の被覆い部と異なる形状に形成されているため、第１装飾部材と第２装飾部材とを正確に組み合わせることができ、装飾性を高めることができる。また、各部材の取り付けが完了した後、位置決め手段に該当する部分は外部から視認することが不可能あるいは困難になり、装飾性が悪くなるおそれを低減することができる。
【００１６】
請求項４の発明に係る遊技機によると、請求項１ないし３のいずれかの発明において、前記誘導部は、前記操作部装飾部材と前記取付部材が前記仮決め位置及び前記取付位置以外の位置で仮位置決め状態となることを阻止する阻止部を備えたため、操作部装飾部材と取付部材とを組み合わせやすく補助することができる。そして、装飾の位置の誤りを減らすことができる。
【００１７】
請求項５の発明に係る遊技機によると、請求項４の発明において、前記第２装飾部材は前記阻止部の一部にリブ部を備え、前記リブ部は前記取付位置に誘導するための切り欠き部を備えているため、より効率よく仮決め位置から取付位置まで誘導することが可能となり、それ以外の部位では仮決め位置のまま取り付けられてしまうことを阻止することができる。
【図面の簡単な説明】
【００１８】
【図１】本発明の一実施例に係る弾球遊技機の正面図である。
【図２】操作ハンドル（操作部材）の全体斜視図である。
【図３】操作ハンドルの正面側からの分解斜視図である。
【図４】操作ハンドルの背面側からの分解斜視図である。
【図５】操作部装飾部材の拡大斜視図である。
【図６】第１装飾部材及び第２装飾部材の背面図と取付部材の正面図である。
【図７】操作部装飾部材の仮決め位置及び取付位置の操作ハンドルの正面図である。
【発明を実施するための形態】
【００１９】
本発明の遊技機について、図１に示す弾球遊技機（パチンコ遊技機）を例として説明する。図示の遊技機１において、その機枠２内に遊技盤３が着脱交換可能に収容される。遊技盤３に発射装置（図示せず）から弾発発射された遊技球を遊技領域６へ誘導するガイドレール４が略円形に立設される。ガイドレール４に囲まれた遊技領域６の中心線上にその上部から下部に向けて順に画像表示装置９、普通電動役物であり可動片１１，１１を有する始動入賞口１０、特別電動役物である大入賞口１５、アウト口１７が配設される。画像表示装置９の上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞口１５の左右に左落とし入賞口２７と右落とし入賞口２９が配設されている。
【００２０】
表示装置９は、液晶、ドットマトリックスもしくはＬＥＤ表示装置等の表示装置からなり、この実施例ではカラー表示可能な液晶表示器（ＴＦＴ−ＬＣＤモジュール）等からなる図柄表示装置８を備えている。図柄表示装置は、数字、アルファベット、記号あるいは絵（キャラクタ）等の普通図柄または特別図柄を変動表示及び停止表示可能としている。大入賞口１５において符号１６は開閉板である。
【００２１】
図１の遊技機１の前面側には、遊技状態を報知するランプ表示器３５、遊技球を貯留するための上側貯留皿３２、上側貯留皿３２を取り付けるための取付板３３、上側貯留皿３２の飽和時の遊技球やアウト口１７への入球を受けるための下側貯留皿３４、遊技領域上側に設置され音声や効果音を発して遊技状態を遊技者に報知するスピーカ３７等がそれぞれ組み付けられている。遊技者が遊技を行う場合、操作ハンドル５（操作部材）を握持して所定角度回動させることにより発射装置から遊技領域６に向けて弾発発射される遊技球の弾発強度が調整される。以下、本発明の操作部材を実施例の操作ハンドル５の例として図示し説明する。
【００２２】
発射装置は、操作ハンドル５と、該操作ハンドルの操作により駆動する発射モータと、この発射モータの駆動により間欠的に揺動して遊技球を弾発発射する打球杆（ともに図示せず）を有する。なお、遊技者が操作ハンドル５を握持すると、遊技者の生体電流等がタッチ検知リング（図３等参照）を介してタッチ検知器（回路）により検知され、操作ハンドルを操作（回動）すると発射装置制御基板の制御を受け発射モータが駆動し、発射モータに連動して駆動する発射槌により発射レールに配置された遊技球を弾発するように構成されている。発射装置により発射された遊技球は、ガイドレール４により遊技領域８へ誘導される。遊技領域８に誘導された遊技球は、転動しつつ下方へ落下し、各入賞口に入賞するか、あるいはどこにも入賞しなければ前記アウト口１７から遊技盤３の裏側へ排出される。
【００２３】
図２以降の図面を用い、操作部材となる操作ハンドル５の構造を説明する。図２の操作ハンドル５（操作部材）の全体斜視図より、同操作ハンドルの最前面となる前面側５ｆに装飾Ｋが施された第１装飾部材６０は位置し、遊技者の手のひらにより握られる。第１装飾部材６０に第２装飾部材７０が組み合わされることによって、当該第１及び第２装飾部材６０，７０により操作部装飾部材５１が構成される。操作部装飾部材５１は取付部材５０を介し、その前面側５０ｆに操作ハンドル５の操作部材本体４０に取り付けられる。
【００２４】
取付部材５０の背後には、この実施例の移動部材となる回動部材（グリップホイール）４１が操作ハンドル５に取り付けられた位置において所定範囲移動可能、実施例では所定量回動可能に備えられ、回動部材４１の背後にはタッチ検知リング４２（握持検知部材）が装着されている。タッチ検知リング４２の背後には操作部材本体４０が接続され、当該遊技機１の前面側１ｆ（図１参照）と取付部材５０とは接続、固定される。操作部材本体４０は後出の図３等からもわかるように、主にスイッチ収容部４３、ねじ止め部４４、本体筒部４５から構成される。
【００２５】
第１装飾部材６０には、当該第１装飾部材６０と第２装飾部材７０とを組み合わせた際に、第１装飾部材６０を介してあるいは図示のように第１装飾部材６０から露出して、第２装飾部材７０の少なくとも一部を視認可能とする装飾視認部６５が備えられる。つまり、第２装飾部材７０を部分的に見えるようにするため、第１装飾部材６０の一部を切り欠いた形状としている。この他、第１装飾部材６０を透明もしくは半透明として第２装飾部材７０を透過させることに加え、第１装飾部材６０と第２装飾部材７０とをそれぞれ異なる配色とすることができる。符号７５は第１装飾部材の装飾視認部６５に対応する第２装飾部材の装飾視認部である。
【００２６】
図示のように、第１装飾部材６０の一部を切り欠いた形状（装飾視認部６５）を利用して第１装飾部材６０と第２装飾部材７０とを組み合わせて整合させる構成（整合部）である。第１装飾部材６０に第１整合部６１、第２装飾部材７０に第２整合部７１が設けられる。符号４６ａ，４６ｂは回動部材の指当て部、９１は弾発停止スイッチ、５０ｆは取付部材の前面側である。実施例の装飾Ｋは塗りつぶし状の図形としている。この装飾は文字、図形、記号その他の適宜である。例えば、遊技機の製造者名、遊技機の機種名、商標、愛称、遊技に関連するキャラクタの名称、遊技店の名称等を明示することができる。
【００２７】
図３の分解斜視図を用い操作ハンドル５（操作部材）の内部構造を説明する。操作部装飾部材５１において、第１整合部６１は凹状の切り取り形状であり、第２整合部７１は第１整合部６１の切り欠き形状に合致する凸状の盛り上がりとなって第２装飾部材７０表面に形成される。
【００２８】
第１装飾部材６０及び第２装飾部材７０の底部側（装飾Ｋがある前面側５ｆと逆側）の周縁部には、取付部材５０との接続に用いられる被覆い部６２，７２が備えられる。取付部材５０と操作部装飾部材５１との接続、固定時、被覆い部６２，７２は、取付部材５０の外周部分に当たる覆い部５２の内側に装着される。符号６３は第１整合部６１（被覆い部６２）に備えられた位置決め手段、７３は第２整合部７１（被覆い部７２）に備えられた位置決め手段である。取付部材５０と操作部装飾部材５１との接続、固定に際し、ねじ等が第１装飾部材６０の接続ねじ穴６６、第２装飾部材７０の接続ねじ穴７６を貫通し、取付部材５０の取付凸部５７（ねじ取付部５６）と接続され、いずれもが固定される。
【００２９】
回動部材４１（移動部材）の外周側には４カ所の指当て部４６ａ，４６ｂ，４６ｃ，４６ｄが順に備えられる。これらは人の指の配置、大きさに順応して形成される。回動部材４１の中心に次述の回動軸４９が挿入される挿入開口部４８が形成されている。挿入開口部４８の周囲に巻きばね４７が配置され、回動部材４１は常時付勢される。このため、所定量回動部材４１が回動しても遊技者が手を離すと、巻きばね４７の力により、回動部材４１は戻り回転して当初の位置に復帰する。
【００３０】
タッチ検知リング４２（握持検知部材）は全体もしくは表面が導電材料からなり、遊技者が操作ハンドル５（操作部材）、特には回動部材４１（移動部材）を握持していることの確認に用いられる。遊技者が握持している場合、遊技者の生体電流がタッチ検知リング４２に流れ、電位差が検出される。
【００３１】
スイッチ収容部４３には弾発停止スイッチ９１、回動軸４９と連動する回動検出スイッチ９２が備えられる。回動軸４９は円筒の一部を切り落とした半円弧状断面の柱状物である。回動軸４９の断面形状と挿入開口部４８の開口形状とは互いに噛み合わさり、回動部材４１の回動量が減衰することなく正確に回動軸４９、そして回動検出スイッチ９２に伝達される。遊技機１の操作ハンドル５（操作部材）の回動部材４１（移動部材）が所定量（所定範囲）移動、つまりこの回動に連動した回動軸４９の回動が回動検出スイッチ９２により検知されている間は、当該遊技機の操作が可能となる。
【００３２】
回動検出スイッチ９２では回動軸４９の回動量が電気抵抗の変化となって、当該遊技機の主制御基盤、発射制御基盤等（ともに図示せず）に送信され遊技球を弾発発射する際の強度が調整される。弾発停止スイッチ９１は回動部材４１を所定量回動した状態で一時的に遊技球の弾発発射を停止する際に用いられる。弾発停止スイッチ９１を操作した際の信号（指で押した際のＯＮ信号）も主制御基盤、発射制御基盤等に送信される。図中の符号９６，９７，９８はスイッチ収容部のねじ穴である。実施例の回動部材４１が移動可能となる範囲は、後出の回動部材４１の内部穴４１ｈとねじ受け部１０３，１０４，１０５との当接により規制される。
【００３３】
ねじ止め部４４は、当該ねじ止め部４４と取付部材５０との間に回動部材４１、タッチ検知リング４２、スイッチ収容部４３を介在させて固定する際のねじ止めのための台座となる。符号９３，９４，９５はねじ付け部である。本体筒部４５は、これまでに詳述した各部材を当該遊技機１に接続するための台座となる。本体筒部４５とねじ止め部４４は適宜のねじ（図示せず）により固定される。前記の弾発停止スイッチ９１、回動検出スイッチ９２、タッチ検知リング４２等と当該遊技機の主制御基盤とを接続するハーネス等は、ねじ止め部４４及び本体筒部４５内部を通される。なお、操作部装飾部材５１等の電飾用のハーネスも含められる。
【００３４】
実施例における回動部材４１（移動部材）は、取付部材５０と操作部材本体４０との間に挟まれて備えられている。この配置に限らず、操作部装飾部材５１、取付部材５０、操作部材本体４０のいずれか、あるいはこのうちの二の部材の間に所定の移動可能性を担保して備えることができる。
【００３５】
図４は操作ハンドル５（操作部材）の背面側からの分解斜視図となる。ねじ止め部４４のねじ付け部９３，９４，９５に通されたねじは、スイッチ収容部４３、タッチ検知リング４２、回動部材４１（移動部材）の空間部４１ｈを通過し、取付部材５０のねじ受け部１０３，１０４，１０５に到達し、ここに固定される。
【００３６】
操作部装飾部材５１に着目すると、図示の実施例の装飾Ｋは適宜の文字列を図案化して配した図形であり、第１装飾部材６０の背面側に突設される（浮き彫りに形成される）。第１装飾部材６０は透明もしくは半透明であるため、装飾Ｋは前面側５ｆから透過して見ることができる。
【００３７】
操作部装飾部材５１（第１装飾部材６０及び第２装飾部材７０）の一方となる第２装飾部材７０の背面側に誘導部８０は備えられ、操作部装飾部材５１及び取付部材５０を本来の取付位置Ｓ１と異なる仮決め位置Ｓ２から前記の取付位置Ｓ１に誘導するために用いられる（位置Ｓ１，Ｓ２ともに図７参照）。図示の誘導部８０は、Ｃの字形状の阻止部８１である。第２装飾部材７０の阻止部８１の形状から把握されるとおり、湾曲した円弧を有する板状であることからリブ部８２の形状となる。リブ部８２の板状部分の途切れた部位が切り欠き部８３となる。むろん、誘導部８０は操作部装飾部材５１、取付部材５０の両方に形成することもできる。
【００３８】
次に図５及び図６を用い、操作部装飾部材５１を構成する第１装飾部材６０と第２装飾部材７０との位置決めと接続、さらには操作部装飾部材５１との固定について説明する。図５は第１装飾部材６０、第２装飾部材７０、操作部装飾部材５１の拡大斜視図であり、図６（ａ）は第１装飾部材６０の背面図、図６（ｂ）は第２装飾部材７０の背面図、図６（ｃ）は取付部材５０の正面図である。整合部のうち、第１整合部６１にあっては、取付部材５０の覆い部５２により覆われる被覆い部６２と装飾視認部６５により構成される。また、第２整合部にあっては、取付部材５０の覆い部５２により覆われる被覆い部７２と装飾視認部７５により構成される。符号５２ｅは取付部材の内壁部である。
【００３９】
図示の複数の装飾視認部６５（第１装飾部材側）において、及び複数の装飾視認部７５（第２装飾部材側）において、それぞれの装飾視認部は互いに同形状からなる。そのため、被覆い部６２，７２はそれぞれ装飾視認部の個数に分かれて存在している（図６参照）。この複数ある被覆い部のうちの１箇所に位置決め手段が備えられる。図示では、第１整合部６１と連続している被覆い部６２に位置決め手段として段差状の位置決め凹部６３が形成される。そして、対応する位置決め手段として第２整合部７１と連続している被覆い部７２に段差状の位置決め凸部７３が形成される。結果的に、位置決め手段（位置決め凹部６３，位置決め凸部７３）を備える被覆い部６２，７２は、残余の被覆い部（位置決め手段を備えない被覆い部）と異なる形状に形成される。
【００４０】
図示（図６参照）のように、第１装飾部材６０、第２装飾部材７０は円形状の部材であり、その中において、第１整合部６１（装飾視認部６５）と第２整合部７１（装飾視認部７５）は、それぞれの円形状の装飾部材の中心から円周方向に中心角を等分割して所定間隔ずつ離して放射状に３箇所配置される。実施例のように、互いが同形状であり、しかも放射状の配置となる場合、それぞれの第１整合部６１（装飾視認部６５）及び第２整合部７１（装飾視認部７５）に大小や形状の相違はほとんどない。そのため、どれとどれとの組み合わせとすべきか、常に迷うこととなる。一般的に、大きさや形状に相違がない場合、組み合わせ位置が容易に判断できないことから常に装飾等を見ながら組み合わせなければならず、作業は手間取ることが多かった。
【００４１】
これに対し、本発明にあっては、位置決め手段同士、実施例における位置決め凹部６３と位置決め凸部７３との組み合わせが適合したときにのみ、第１装飾部材６０と第２装飾部材７０との正確な位置同士での組み合わせが完了する。位置決め手段は、第１装飾部材６０及び第２装飾部材７０に施された装飾が正常な位置となるような組み合わせを補助する。実施例のように第１整合部６１、第２整合部７１が互いに同形状となる場合、１箇所の位置決め手段（位置決め凹部６３と位置決め凸部７３）の組み合わせ位置を手がかりに第１装飾部材６０と第２装飾部材７０を組み合わせれば良く、間違えるおそれが低下するため、双方の取り付け作業は大きく簡素化される。
【００４２】
第１装飾部材と第２装飾部材における第１整合部と第２整合部の配置は開示のような円形状部材とその周囲に沿った放射状の配置のみならず、線対称の装飾部材や点対称の装飾部材を採用することもできる。この場合であっても、第１整合部及び第２整合部は装飾部材の形状に対応した配置となる。例えば、それぞれの整合部（装飾視認部）は、ある図形の対角線位置、正多角形の頂点位置等の意匠性を考慮した位置に配置される。従って、場所毎の整合部（装飾視認部）の優劣が把握し難くなる。このような場合であっても、１箇所のみに位置決め手段（位置決め用の凹部と凸部）を配することにより、噛み合わせの違和感から他の整合部（装飾視認部）との区別できる。
【００４３】
次に、第１装飾部材６０と第２装飾部材７０を組み合わせてなる操作部装飾部材５１と、取付部材５０との取り付けでは、第１装飾部材６０の被覆い部６２及び第２装飾部材７０の被覆い部７２が、取付部材５０の覆い部５２の内部となる内壁部５２ｅの内に挿入される。
【００４４】
覆い部５２の内壁部５２ｅには被取付部となる受け凸部５５が複数（図示では６箇所）設けられる。同様に、第１装飾部材６０の被覆い部６２に第１嵌着凸部６４が３箇所設けられ、第２装飾部材７０の被覆い部７２に第２嵌着凸部７４が３箇所設けられる（第１嵌着凸部及び第２嵌着凸部はともに取付部である。）。操作部装飾部材５１を取付部材５０に取り付けた場合、はじめに、内壁部５２ｅの受け凸部５５が途切れている部分に操作部装飾部材５１の第１嵌着凸部６４及び第２嵌着凸部７４が差し込まれる。続いて、操作部装飾部材５１側が適度に回される。そして、受け凸部５５と、第１嵌着凸部６４及び第２嵌着凸部７４とは、互いに噛み合わさり合う。実施例では、第１嵌着凸部６４及び第２嵌着凸部７４の上側に受け凸部５５が位置することにより双方は嵌着する。
【００４５】
しかしながら、図示の操作部装飾部材５１及び取付部材５０はいずれも円形状で組み合わされる部材であるため、取り付けようとする場所の区別がなく、装飾Ｋの位置を頼りに双方を組み合わせることになる。
【００４６】
そこで、図６に開示の第２装飾部材７０の背面には「Ｃ字」状に折り曲げた板体より形成された誘導部８０が設けられる。誘導部８０はリブ部８２となる阻止部８１と一体化しており、その一部に切り欠き部８３（リブ部８２が途切れている部位となる。）が形成される。また、取付部材５０の操作部装飾部材５１が取り付けられる側には、取付部材５０正面から取付凸部５７が突設される。双方の関係から理解されるとおり、単に阻止部８１（リブ部８２）を取付部材５０に押し当てたとしても、阻止部８１（リブ部８２）は取付凸部５７と衝突して同取付凸部の抵抗を受けてしまい、双方は噛み合うことはなく、操作部装飾部材５１は取付部材５０から浮き上がった状態のままである。
【００４７】
図５及び図６、加えて前出の図２からわかるように、取付部材５０の内壁部５２ｅの内側に第１装飾部材６０の被覆い部６２及び第２装飾部材７０の被覆い部７２が収容される。そして取り付けが完了した後、両方の被覆い部は外部から見えなくなる。このため、位置決め凹部６３が形成された第１整合部６１及び位置決め凸部７３が形成された第２整合部７１と、これらの位置決め手段を備えていない第１整合部及び第２整合部とを見分けることはほぼ不可能となる。結果、遊技者等の視覚的にはいずれの装飾視認部も違和感なく同等となり、美観を損なうおそれや装飾性を妨げるおそれも軽減される。
【００４８】
さらに図７を用い、取付部材５０と操作部装飾部材５１との位置決めの様子を詳しく示す。図７（ａ）は取付部材５０の前面側５０ｆに操作部装飾部材５１を仮に置いて双方をいったん密着させた状態の正面図であり、いわゆる仮決め位置（図示のＳ２の位置）の状態である。まず、操作部装飾部材５１は、次に述べる図７（ｂ）の取付位置（Ｓ１の位置）と異なる所定の仮決め位置（Ｓ２）に仮置きされる。仮決め位置（Ｓ２）とは便宜上取付部材５０に操作部装飾部材５１を最初に挿入可能となる位置であり、阻止部８１にある切り欠き部８３内に取付凸部５７が位置する。
【００４９】
実施例の阻止部８１（リブ部８２）は誘導部８０を兼ねているため、操作部装飾部材５１を最初に挿入した仮決め位置（Ｓ２）から、阻止部８１（リブ部８２）が取付凸部５７から受ける抵抗を手がかりに操作部操作部材５１を回すことができる。そのうちに、図７（ｂ）の取付位置（Ｓ１）のとおり、操作部装飾部材５１は当該取付位置まで誘導される。こうして、操作部装飾部材５１は取付部材５０側に収まる（押下されて取付可能となる）。操作部装飾部材５１側に備えられている誘導部８０の作用からわかるように、操作部装飾部材５１と取付部材５０を組み合わせて誘導部８０により仮決め位置（Ｓ２）から取付位置（Ｓ１）に操作部装飾部材５１が誘導されるため、操作部装飾部材５１に施された装飾Ｋも正常な位置への配置となる。また、誘導部８０の阻止部８１は、操作部装飾部材５１と取付部材５０が仮決め位置（Ｓ２）及び取付位置（Ｓ１）以外の位置で仮位置決め状態となることを阻止している。
【００５０】
開示の実施例のリブ部８２と取付凸部５７との位置、並びに受け凸部５５（被取付部）と第１嵌着凸部６４及び第２嵌着凸部７４（ともに取付部）は、互いに対応した配置となっている。具体的に、阻止部８１にある切り欠き部８３が取付凸部５７の直上に位置するとき、操作部装飾部材５１は取付部材５０側に密着する。このとき、操作部装飾部材５１側の第１嵌着凸部６４及び第２嵌着凸部７４は、取付部材５０の受け凸部５５と接触しないため、操作部装飾部材５１は取付部材５０側に無理なく密着可能となる。
【００５１】
いったん取付部材５０に操作部装飾部材５１が組み合わされた後には、前述のとおり、操作部装飾部材５１を回動させることにより、受け凸部５５と、第１嵌着凸部６４及び第２嵌着凸部７４とは、互いに噛み合わさり合い固定状態となる。ここで、阻止部８１にある切り欠き部８３は、取付部材５０に操作部装飾部材５１が組み合わされた後の操作部装飾部材５１の回動可能な長さである。そこで、操作部装飾部材５１の回動を妨げることなく、かつ、仮決め位置から取付位置に至る誘導に十分な長さが確保されている。
【００５２】
これまでの図示並びに説明から明らかなように、操作部装飾部材内の位置決め手段、操作部装飾部材及び取付部材に備えられた誘導部の作用によって、操作部材に施される装飾が正常な位置となるような組み立てを簡単に行うことができる。しかも誤って組み立てられる不具合を生じにくくすることもできる。また、誘導部が阻止部を兼ねていることから、操作部装飾部材と取付部材との組み合わせの補助をすることができる。そして、装飾の位置の誤りを減らすことができる。加えて、阻止部はリブ部とそれ以外の切り欠き部を有していることから、より効率よく仮決め位置から取付位置まで誘導して、操作部装飾部材と取付部材とを取り付けることが可能となり、それ以外の部位では仮決め位置のまま取り付けられてしまうことを阻止することができる。
【００５３】
実施例の構造に加えて以下の構造、構成を採用することができる。例えば、実施例に開示の取付部材５０の受け凸部５５（被取付部）と、第１嵌着凸部６４及び第２嵌着凸部７４（ともに取付部）との噛み合わせによる固定の他に、第１嵌着凸部６４及び第２嵌着凸部７４をやじり形状として取付部材５０の受け凸部５５に嵌着後（固定後）に容易に脱離できない構造とすることもできる。
【００５４】
第１装飾部材６０と第２装飾部材７０を組み合わせてなる操作部装飾部材５１と、取付部材５０との取り付け、固定に際し、実施例では第１装飾部材６０の接続ねじ穴６６、第２装飾部材７０の接続ねじ穴７６、取付部材５０の取付凸部５７（ねじ取付部５６）にねじが挿通され、いずれもが固定される。これに代えて、図示しないが、固定用の爪部や固定ピンを設けて簡単に組み合わせるようにすることができる。
【００５５】
実施例において、第１整合部６１を含む第１装飾部材６０及び第２整合部７１を含む第２装飾部材７０の下部側の全周を取付部材５０の覆い部５２により覆われる被覆い部６２，７２としている。この他に、第１整合部及び第２整合部の部位のみを覆い部により覆われる被覆い部とすることもできる。こうすると、装飾性を高めた設計の自由度が高まる。
【００５６】
なお、請求項３について補足すると、次の特徴を有する。第１装飾部材及び第２装飾部材の周縁は前面側から見て円形状を成している。取付部材には操作部装飾部材を取り付けた際に操作部装飾部材の周縁及び周縁付近の少なくとも一部を覆う覆い部を有する。第１装飾部の第１整合部が複数あり、これらに合致する第２装飾部の第２整合部も複数あり、第１整合部は第１装飾部材の周縁に沿って、第２整合部は第２装飾部材の周縁に沿って、いずれもが等間隔に配置される。第１整合部と第２整合部の組み合わせによる部位は、取付部材の覆い部によって覆われる操作部装飾部材の被覆い部と、覆い部によって覆われない露出部（装飾視認部）とから構成される。複数ある露出部（装飾視認部）は同形状を成しており、複数の被覆い部のうち一の被覆い部は他の被覆い部とは異なる形状に形成される。
【００５７】
本発明は実施例に図示した構成に限定されることはなく、発明の趣旨を逸脱しない限り他の弾球遊技機にも適用することができる。例えば、実施例のパチンコ機の弾球遊技機の操作ハンドルにおける装飾への適用とする他、遊技機におけるキャラクタ選択等の遊技選択スイッチ等にも適用することができる。また、スロットマシン遊技機の回転ドラムの始動用の操作レバーや、回転停止スイッチ等の操作部材にも適用可能である。
【符号の説明】
【００５８】
１  弾球遊技機
２  機枠
３  遊技盤
５  操作ハンドル（操作部材）
４０  操作部材本体
５０  取付部材
５１  操作部装飾部材
５２  覆い部
５７  取付凸部
６０  第１装飾部材
６１  第１整合部
６２  被覆い部
６３  位置決め凹部（位置決め手段）
６５  装飾視認部
７０  第２装飾部材
７１  第２整合部
７２  被覆い部
７３  位置決め凸部（位置決め手段）
７５  装飾視認部
８０  誘導部
８１  阻止部
８２  リブ部
８３  切り欠き部
Ｋ  装飾
Ｓ１  取付位置
Ｓ２  仮決め位置
【図１】
2011062426.tif 000003
【図２】
2011062426.tif 000004
【図３】
2011062426.tif 000005
【図４】
2011062426.tif 000006
【図５】
2011062426.tif 000007
【図６】
2011062426.tif 000008
【図７】
2011062426.tif 000009